(57)【要約】【課題】ＲＦＩＤタグが被着体の面から離間している姿勢を保持できるＲＦＩＤタグ保持体を提供する。【解決手段】本実施形態に係るＲＦＩＤタグ保持体１は，裏面側に粘着層１５を形成した矩形の底面パネル１１と，底面パネル１１の一辺に立設され，ＲＦＩＤタグ１００を付設したタグパネル１０と，タグパネル１０が立設されている底面パネル１１の一辺と隣り合う底面パネル１１の二辺にそれぞれ立設され，底面パネル１１を利用してタグパネル１０を支える保持パネル１２を備える。【選択図】図１
2018128770.tif 000002
【特許請求の範囲】
【請求項１】
裏面側に粘着層を形成した底面パネルと，前記底面パネルの一辺に立設され，ＲＦＩＤタグを付設したタグパネルと，前記タグパネルが立設されている前記底面パネルの一辺と隣り合う前記底面パネルの少なくとも一辺に立設され，前記底面パネルを利用して前記タグパネルを支える保持パネルを備えたことを特徴とするＲＦＩＤタグ保持体。
【請求項２】
前記底面パネル，前記タグパネルおよび前記保持パネルに加え，前記底面パネルと前記保持パネルの接着に用いる糊付けパネルを備えた一枚のシートを組み立てることで構成されていることを特徴とする，請求項１に記載したＲＦＩＤタグ保持体。
【請求項３】
請求項２に記載したＲＦＩＤタグ保持体の組み立てに用いるシートであって，前記底面パネル，前記タグパネルおよび前記保持パネルに加え，前記底面パネルと前記保持パネルの接着に用いる前記糊付けパネルを備えていることを特徴とするＲＦＩＤタグ保持体用シート。
【請求項４】
請求項１または２に記載したＲＦＩＤタグ保持体の貼り付け方法であって，前記ＲＦＩＤタグを付設した前記タグパネルの面が被着体の開口部に向く状態で，前記底面パネルの裏面に形成した粘着層を用いて前記ＲＦＩＤタグ保持体を前記被着体の内部に貼り付けることを特徴とする，ＲＦＩＤタグ保持体の貼り付け方法。
【請求項５】
開口部を有する金属筐体を前記被着体としたことを特徴とする，請求項４に記載したＲＦＩＤタグ保持体の貼り付け方法。
【発明の詳細な説明】
【技術分野】
【０００１】
本発明は，ＲＦＩＤ（Radio Frequency Identification）タグを付設した保持体であるＲＦＩＤタグ保持体，ＲＦＩＤタグ保持体の貼り付け方法およびＲＦＩＤタグ保持体用シートを提供する発明である。
【背景技術】
【０００２】
所定の周波数帯の電波を利用して無線通信するＲＦＩＤタグは，様々な被着体に貼り付けられて利用される。金属製の被着体（例えば，金属製のキャビネット）にＲＦＩＤタグを貼り付けたい場合もあるが，金属製の被着体にＲＦＩＤタグを貼り付けると電波障害が発生し，ＲＦＩＤタグが無線通信できなくなるため，金属製の被着体にＲＦＩＤタグを取り付ける際には，ＲＦＩＤタグに対する金属面の影響を小さくする工夫が必要になる。
【０００３】
ＲＦＩＤタグに対する金属面の影響を小さくする発明として，ＲＦＩＤタグと金属面の間に磁性材料（例えば，アズキャストのアモルファスから成る磁性材料）を配置する発明が特許文献１で開示されているが，特許文献１で開示されている発明では，磁性材料が必要になるため，ＲＦＩＤタグのコストが高くなってしまう。
【０００４】
磁性材料をＲＦＩＤタグに備えさせることなく，ＲＦＩＤタグに対する金属面の影響を小さくする発明として，ＲＦＩＤタグを付設したタグ付設部を有する凸形状のＲＦＩＤラベルが特許文献２で開示されている。特許文献２の図６のように，ＲＦＩＤタグを付設したタグ付設部を折り曲げ，タグ付設部がラベル本体から突出した状態で特許文献２に係るＲＦＩＤラベルを金属面に貼り付けることで，タグ付設部に付設したＲＦＩＤタグと金属面が離間し，ＲＦＩＤタグに対する金属面の影響は小さくなる。
【先行技術文献】
【特許文献】
【０００５】
【特許文献１】特開２００４−３８７０２号公報
【特許文献２】特開２００７−３４８６８号公報
【発明の概要】
【発明が解決しようとする課題】
【０００６】
特許文献２で開示されている発明のように，ＲＦＩＤタグと金属面を離間させることで，磁性材料を必要とすることなく，ＲＦＩＤタグに対する金属面の影響を小さくできるが，特許文献２で開示されている発明では，ＲＦＩＤタグが金属面から離間する姿勢でタグ付設部を金属面に貼り付けても，金属面に貼り付けたタグ付設部の姿勢を保持できない場合があった。例えば，地面に対して垂直な金属面に特許文献２に係るＲＦＩＤラベルを貼り付ける場合，タグ付設部は地面に対して水平になるため，時間の経過に従い，重力の影響でタグ付設部が水平から斜めになってしまい電波障害が発生し易くなる。
【０００７】
そこで，本発明は，ＲＦＩＤタグを付設した保持体であって，ＲＦＩＤタグが被着体の面から離間している姿勢を保持できるＲＦＩＤタグ保持体を提供することを目的とし，更に，このＲＦＩＤタグ保持体用のシート，および，このＲＦタグ保持体の貼り付け方法をも提供することを目的とする。
【課題を解決するための手段】
【０００８】
上述した課題を解決する第１の発明は，裏面側に粘着層を形成した矩形の底面パネルと，前記底面パネルの一辺に立設され，ＲＦＩＤタグを付設したタグパネルと，前記タグパネルが立設されている前記底面パネルの一辺と隣り合う前記底面パネルの一辺に少なくとも立設され，前記底面パネルを利用して前記タグパネルを支える保持パネルを備えたことを特徴とするＲＦＩＤタグ保持体である。第１の発明に係るＲＦＩＤタグ保持体は，前記ＲＦＩＤタグが被着体の面から離間している姿勢を保持できるように，前記底面パネルを利用して前記タグパネルを支える保持パネルを備えている。
なお，第１の発明に係るＲＦＩＤタグ保持体は，前記底面パネル，前記タグパネルおよび前記保持パネルに加え，前記底面パネルと前記保持パネルの接着に用いる糊付けパネルを備えた一枚のシートを組み立てることで構成されていることが望ましい。
【０００９】
更に，第２の発明は，第１の発明に係るＲＦＩＤタグ保持体の組み立てに用いるシートであって，前記底面パネル，前記タグパネルおよび前記保持パネルに加え，前記底面パネルと前記保持パネルの接着に用いる前記糊付けパネルを備えていることを特徴とするＲＦＩＤタグ保持体用シートである。
【００１０】
更に，第３の発明は，第１の発明に係るＲＦＩＤタグ保持体の貼り付け方法であって，前記ＲＦＩＤタグを付設した前記タグパネルの面が被着体の開口部に向く状態で，前記底面パネルの裏面に形成した粘着層を用いて前記ＲＦＩＤタグ保持体を前記被着体の内部に貼り付けることを特徴とする。
なお，第３の発明に係るＲＦＩＤタグ保持体の貼り付け方法において，開口部を有する金属筐体を前記被着体とすることが望ましい。
【発明の効果】
【００１１】
上述した本発明によれば，ＲＦＩＤタグが被着体の面から離間している姿勢を保持できるＲＦＩＤタグ保持体を提供でき，更に，このＲＦＩＤタグ保持体用のシート，および，このＲＦタグ保持体の貼り付け方法をも提供できる。
【図面の簡単な説明】
【００１２】
【図１】本実施形態に係るＲＦＩＤタグ保持体を説明する図。
【図２】ＲＦＩＤタグ保持体用シートを説明する図。
【図３】ＲＦＩＤタグ保持体用シートの組み立て方を説明する図。
【図４】ＲＦＩＤタグ保持体の使用例を説明する第１図。
【図５】ＲＦＩＤタグ保持体の使用例を説明する第２図。
【図６】変形例１に係るＲＦＩＤタグ保持体を説明する図。
【図７】変形例２に係るＲＦＩＤタグ保持体を説明する図。
【図８】変形例３に係るＲＦＩＤタグ保持体を説明する図。
【発明を実施するための形態】
【００１３】
ここから，本発明の好適な実施形態を記載する。なお，以下の記載は本発明の技術的範囲を束縛するものでなく，理解を助けるために記述するものである。
【００１４】
図１は，本実施形態に係るＲＦＩＤタグ保持体１を説明する図である。本実施形態に係るＲＦＩＤタグ保持体１は，裏面側に粘着層１５を形成した矩形の底面パネル１１と，底面パネル１１の一辺に立設され，ＲＦＩＤタグ１００を付設したタグパネル１０と，タグパネル１０が立設されている底面パネル１１の一辺と隣り合う底面パネル１１の二辺にそれぞれ立設され，底面パネル１１を利用してタグパネル１０を支える保持パネル１２を備えている。なお，本実施形態に係るＲＦＩＤタグ保持体１には，ＲＦＩＤタグ保持体１に前面になる前面パネルおよびＲＦＩＤタグ保持体１に天井になる天井パネルは備えておらず，ＲＦＩＤタグ保持体１の前面は開口した状態になっている。また，保持パネル１２の高さはタグパネル１０の高さは同じでなくともよく，図１において，保持パネル１２の高さはタグパネル１０の高さの約２／３になっている。
【００１５】
図１で図示したＲＦＩＤタグ保持体１は，底面パネル１１，タグパネル１０および保持パネル１２に加え，底面パネル１１と保持パネル１２の接着に用いる糊付けパネル１３を備えた一枚のシートを組み立てることで構成されている。図１において，ＲＦＩＤタグ１００を付設したタグパネル１０は，折線１４ａを介して底面パネル１１と連設し，底面パネル１１に対して略垂直に折り曲げられることで，底面パネル１１に立設した状態になっている。また，タグパネル１０の両側にそれぞれ設けられた保持パネル１２は，折線１４ｂを介してタグパネル１０と連設し，折線１４ｂを利用してタグパネル１０に対して略垂直に折り曲げられた状態になっている。更に，タグパネル１０の両側にそれぞれ設けられた保持パネル１２は，底面パネル１１との接着に用いる糊付けパネル１３と折線１４ｃを介して連設し，糊付けパネル１３を折り曲げ，糊付けパネル１３の裏面に形成された粘着層１５を利用して底面パネル１１と糊付けパネル１３を接着させることで，ＲＦＩＤタグ１００を付設したタグパネル１０の姿勢（底面パネル１１に立設した状態）を保持パネル１２が保持する格好になっている。
【００１６】
図２は，ＲＦＩＤタグ保持体１の組み立てに用いるＲＦＩＤタグ保持体用シート２を説明する図である。図２で図示したＲＦＩＤタグ保持体用シート２は，図１で図示したＲＦＩＤタグ保持体１の組み立てに用いるシートで，底面パネル１１，タグパネル１０および保持パネル１２に加え，底面パネル１１と保持パネル１２の接着に用いる糊付けパネル１３を備えている。
【００１７】
図２で図示したＲＦＩＤタグ保持体用シート２において，ＲＦＩＤタグ１００が付設されたタグパネル１０は折線１４ａを介して底面パネル１１と連設し，ＲＦＩＤタグ１００が付設されたタグパネル１０の両側には，タグパネル１０よりも高さが短い保持パネル１２が折線１４ｂを介して連設している。更に，折線１４ｂを介してタグパネル１０に連結している保持パネル１２には，底面パネル１１との接着に用いる糊付けパネル１３が折線１４ｃを介して連設し，底面パネル１１と糊付けパネル１３の間にはカット線１４ｄが加工されている。底面パネル１１および糊付けパネル１３の裏面には粘着層１５が形成され，この粘着層１５は剥離紙１６によって保護されている。また，底面パネル１１と糊付けパネル１３の間に加工されたカット線１４ｄは，粘着層１５と剥離紙１６を貫通している。なお，ＲＦＩＤタグ保持体用シート２は，紙やプラスチックなど比較的薄いシートを利用できる。
【００１８】
図３は，ＲＦＩＤタグ保持体用シート２の組み立て方を説明する図である。ＲＦＩＤタグ保持体用シート２を組み立てる際，まず，図３（ａ）で図示したように，ＲＦＩＤタグ保持体用シート２に加工した折線１４ｂに沿って，折線１４ｂを介してタグパネル１０に連設している保持パネル１２を略垂直に折り曲げる。折線１４ｂに沿って保持パネル１２を略垂直に折り曲げることで，折線１４ｃを介して保持パネル１２に連設している糊付けパネル１３もタグパネル１０に対して略垂直の状態になる。次に，図３（ｂ）で図示したように，ＲＦＩＤタグ保持体用シート２に加工した折線１４ｃに沿って，折線１４ｃを介して保持パネル１２に連設している糊付けパネル１３を略垂直に折り曲げ，糊付けパネル１３の裏面にある剥離紙１６を剥がして，糊付けパネル１３の裏面に形成された粘着層１５を露出させる。次に，図３（ｃ）で図示したように，ＲＦＩＤタグ保持体用シート２に加工した折線１４ａに沿って，折線１４ａを介してタグパネル１０に連設している底面パネル１１を略垂直に折り曲げ，糊付けパネル１３の裏面に形成された粘着層１５を利用して，糊付けパネル１３と底面パネル１１を接着させることで，図１で図示したＲＦＩＤタグ保持体１が組み立てられる。
【００１９】
これまで説明したように，本実施形態に係るＲＦＩＤタグ保持体１は一対の保持パネル１２を備えているので，強い力が加えられない限り，ＲＦＩＤタグ１００を付設したタグパネル１０の姿勢（底面パネル１１に立設した状態）を維持できる。本実施形態に係るＲＦＩＤタグ保持体１の底面パネル１１の裏面側には，ＲＦＩＤタグ保持体１を貼り付ける際に使用する粘着層１５を形成しているので，タグパネル１０が底面パネル１１に立設した状態のＲＦＩＤタグ保持体１を被着体の面に貼り付ければ，タグパネル１０に付設したＲＦＩＤタグ１００は被着体の面から離間するので，ＲＦＩＤタグ１００に対する被着体の影響を小さくできる。
【００２０】
図４は，本実施形態に係るＲＦＩＤタグ保持体１の貼り付け方法を説明する第１図である。上述したように，本実施形態に係るＲＦＩＤタグ保持体１では，タグパネル１０に付設したＲＦＩＤタグ１００が被着体の面から受ける影響を小さくできるため，金属筐体の内部でＲＦＩＤタグ保持体１を使用することができる。
【００２１】
図４では，スライド式の扉を備えた金属製キャビネット３を金属筐体として図示している。ＲＦＩＤタグ１００を付設したタグパネル１０の面が金属製キャビネット３のスライド式扉３ｂに向くように，すなわち，ＲＦＩＤタグ１００を付設したタグパネル１０の面が金属製キャビネット３のスライド式扉３ｂと略平行になるように，ＲＦＩＤタグ保持体１を金属製キャビネット３の内部に貼り付けると，スライド式扉３ｂを閉じた状態で，金属製キャビネット３の外側から，タグパネル１０に付設されたＲＦＩＤタグ１００と無線通信可能であった。金属製のスライド式扉３ｂで電波が遮断されると想定されるかもしれないが，図４で図示した金属製キャビネット３は，スライド式扉３ｂを閉じた状態で，スライド式扉３ｂとキャビネット本体３ａの間にわずかな隙間３ｃ（約１ｍｍ）が生じる構造になっているため，この隙間３ｃから金属製キャビネット３の内側に入った電波が金属製キャビネット３の内側で反射して，ＲＦＩＤタグ保持体１のＲＦＩＤタグ１００に電波を届けられ，ＲＦＩＤタグ１００の応答波も金属製キャビネット３の内部で反射して，この隙間３ｃから金属製キャビネット３の外側に放出された推測している。
【００２２】
図５は，本実施形態に係るＲＦＩＤタグ保持体１の貼り付け方法を説明する第２図である。スライド式扉３ｂとキャビネット本体３ａの間にわずかなに生じる隙間３ｃを利用して，金属製キャビネット３の外側から，タグパネル１０に付設されたＲＦＩＤタグ１００と無線通信可能であったため，片面が開口している金属筐体４の内部にＲＦＩＤタグ保持体１を貼り付ければ，金属筐体４の内側で発生する電波の反射を利用して，ＲＦＩＤタグ１００の通信距離を伸ばせると考えた。実際，ＲＦＩＤタグ１００を付設したタグパネル１０の面が金属筐体４の開口部４ａに向くように，金属筐体４の内側にＲＦＩＤタグ保持体１を貼り付けた場合，金属筐体の内側にＲＦＩＤタグ保持体１を貼り付けない時と比較として，タグパネル１０に付設されたＲＦＩＤタグ１００の通信距離は２倍に伸びた。
【００２３】
なお，ＲＦＩＤタグ保持体１は上述した本実施形態に限定されることなく，様々な変更が可能である。ここから，本実施形態に係るＲＦＩＤタグ保持体１の変形例について説明する。
【００２４】
図６は，変形例１に係るＲＦＩＤタグ保持体５を説明する図である。図１で図示したＲＦＩＤタグ保持体１は，タグパネル１０が立設されている底面パネル１１の一辺と隣り合う底面パネル１１の二辺にそれぞれに，底面パネル１１を利用してタグパネル１０を支える保持パネル１２を立設していたが，底面パネル１１を利用してタグパネル１０を支える保持パネル１２は，図６で図示した変形例１に係るＲＦＩＤタグ保持体５のように，タグパネル１０が立設されている底面パネル１１の一辺と隣り合う底面パネル１１の一辺のみとすることもできる。なお，詳細は説明しないが，一枚のシートから箱を組み立てることは可能であるので，変形例１に係るＲＦＩＤタグ保持体５も一枚のシートから組み立てることができる。
【００２５】
図７は，変形例２に係るＲＦＩＤタグ保持体６を説明する図である。図１で図示したＲＦＩＤタグ保持体１は，ＲＦＩＤタグ保持体１の前面が開口した状態になっていたが，変形例２に係るＲＦＩＤタグ保持体６は，裏面側に粘着層を形成した矩形の底面パネル６１と，底面パネル６１の一辺に立設されＲＦＩＤタグ６００を付設したタグパネル６０と，タグパネル６０が立設された辺と隣り合う底面パネルの二辺にそれぞれ立設され，底面パネル６１を利用してタグパネル６０を支える保持パネル６２に加え，変形例２に係るＲＦＩＤタグ保持体６に前面になる前面パネル６４，および，変形例２に係るＲＦＩＤタグ保持体６に天井になる天井パネル６３を備えている。なお，詳細は説明しないが，一枚のシートから箱を組み立てることは可能であるので，変形例２に係るＲＦＩＤタグ保持体６も一枚のシートから組み立てることができる。
【００２６】
図８は，変形例３に係るＲＦＩＤタグ保持体７を説明する図である。図１で図示したＲＦＩＤタグ保持体１は組み立て式の保持体であるが，図８で図示した変形例３に係るＲＦＩＤタグ保持体７のように，射出成形などを利用して成形された組み立て式ではない一体型の保持体であってもよい。
【符号の説明】
【００２７】
１    ＲＦＩＤタグ保持体
１０  タグパネル
１１  底面パネル
１２  保持パネル
１３  糊付けパネル
１４ａ，１４ｂ，１４ｃ  折線
１４ｄ  カット線
１５  粘着層
１６  剥離紙
２    ＲＦＩＤタグ保持体用シート
５    変形例1に係るＲＦＩＤタグ保持体
６    変形例２に係るＲＦＩＤタグ保持体
７    変形例３に係るＲＦＩＤタグ保持体
【図１】
2018128770.tif 000003
【図２】
2018128770.tif 000004
【図３】
2018128770.tif 000005
【図４】
2018128770.tif 000006
【図５】
2018128770.tif 000007
【図６】
2018128770.tif 000008
【図７】
2018128770.tif 000009
【図８】
2018128770.tif 000010